(57)【要約】      （修正有）【課題】環境保護、利便性、及び感染症の予防を兼ねる効果を実現する移動式光気化装置を提供する。【解決手段】移動式光気化装置１は、移動可能なキャリア１０と、該キャリアの搬送空間の内に設けられるレーザー気化設備２０、ガス処理装置３０、及び電源供給装置４０とを含み、該レーザー気化設備がレーザー気化待ち物に対してレーザー気化作業を行い、該ガス処理装置が該レーザー気化設備の給気と排気を行い、該電源供給装置が所要の電気エネルギーの保存と供給を行い、鳥インフルエンザなどの動物由来感染症が発生した時に、現場に速く機動的に到着し、現場で高効率の作業を直接に提供することができる。【選択図】図１
0003235222.tif 000002
【実用新案登録請求の範囲】
【請求項１】
搬送空間を含む移動可能なキャリアと、
該搬送空間に設けられ、レーザー気化キャビン、画像認識装置、及びレーザー装置を含み、該レーザー気化キャビンがキャビン内空間を有し、少なくとも１つのレーザー気化待ち物に対してレーザー気化作業の行いを提供するようにされ、該画像認識装置と該レーザー装置が該レーザー気化キャビンに設けられ、該画像認識装置が該レーザー気化キャビンの内にあるレーザー気化待ち物の位置を認識するようにされ、該レーザー装置が該レーザー気化キャビンの内にあるレーザー気化待ち物に対してレーザー光を発射するようにされ、該レーザー装置がレーザー光源モジュールと少なくとも１つのレーザー発光ユニットとを含み、該レーザー光源モジュールが該レーザー発光ユニットへレーザー光を生成するようにされ、該レーザー発光ユニットが該レーザー気化キャビンの内で水平方向に移動し、掃引するレーザー光を発射する可能であるレーザー気化設備と、
該搬送空間に設けられ、該レーザー気化設備の該レーザー気化キャビンに接続され、該レーザー気化キャビンの給気と排気を提供するようにされるガス処理装置と、
該搬送空間に設けられ、該レーザー気化設備及び該ガス処理装置とそれぞれに電気的に接続される、電気エネルギーを提供するようにされる電源供給装置とを含むことを特徴とする移動式光気化装置。
【請求項２】
該ガス処理装置がＣＯ２供給モジュールと、フィルターモジュールと、排気ユニットとを含み、該ＣＯ２供給モジュールがＣＯ２を生成して該レーザー気化キャビンに供給するようにされ、該フィルターモジュールが該レーザー気化キャビンから排出されるガスを濾過するようにされ、該排気ユニットが該レーザー気化キャビンから排出されるガスを該搬送空間から導出するようにされることを特徴とする請求項１に記載の移動式光気化装置。
【請求項３】
該レーザー装置が２つの並列した該レーザー発光ユニットを含み、２つの該レーザー発光ユニットが分光チャンネルを介して互いに接続されることを特徴とする請求項１又は２に記載の移動式光気化装置。
【請求項４】
該レーザー気化キャビンの内には、さらに該レーザー発光ユニットの下方に位置する移動荷台が設けられ、該移動荷台が該レーザー気化キャビンに対して昇降移動し、該レーザー発光ユニットに対する距離を調節するようにする可能であることを特徴とする請求項１又は２に記載の移動式光気化装置。
【請求項５】
該キャリアが車両であり、該搬送空間が該車両の車室に位置され、該車室が該車両に取り外し可能に接続されることを特徴とする請求項４に記載の移動式光気化装置。
【考案の詳細な説明】
【技術分野】
【０００１】
本考案は、感染した家畜に対する処理に関し、特に機動性移動性が高く、現場で高効率の作業を容易に提供し、処理効率が高く、環境保護効果を兼ね備える移動式光気化装置に関する。
【背景技術】
【０００２】
普通の鳥インフルエンザのような動物由来感染症は今まで発生し続け、台湾雲林県動植物疫病予防局によると、昨年、該県では鳥インフルエンザ陽性を確認した養鶏場が総計５３戸であり、２８９，０００羽の患畜を殺処分とされ、２０１８年で６２戸が確認され、 ４４万を殺処分とされ、全国の鳥インフルエンザの感染症情報にいたっては、昨年高病原性鳥インフルエンザを確認した養鶏場が８２戸である。関連する予防と処理は、依然として政府と飼育業者にとって大切なものである。
【０００３】
関連する予防と治療について、感染症の発生現場での消毒と洗浄に加え、殺処分とされた感染家畜がほとんど化製場へ集中輸送されて燃焼、埋葬、又は化製処理などの処理を行われるため、病気になった家禽などの感染した家畜に対する処理は非常に面倒であり、かなりの人的資源、材料資源、及びコストを費やすだけでなく、化製場への長距離輸送の過程には、よく感染伝播のリスクを伴うので、当局と業者が改善すべき課題である。
【先行技術文献】
【特許文献】
【０００４】
【特許文献１】登録実用新案第３０５０８９５号公報
【考案の概要】
【考案が解決しようとする課題】
【０００５】
従来の病気を感染した家畜に対する処理が難い、効率の低下、及び感染伝播のリスクという問題に鑑み、本考案の主な目的は、地域によって異なり、現場で感染した家畜を効率的に処理させ、作業の利便性を大幅に向上させてコストを低減させ、病原体の拡散という問題を確実に避ける移動式光気化装置を提供することである。
【課題を解決するための手段】
【０００６】
上記の効果及び目的を達成するために、本考案が提供する移動式光気化装置は、移動可能なキャリアと、レーザー気化設備と、ガス処理装置と、電源供給装置とを含み、該キャリアが移動を提供するようにされ、そこには搬送空間が配置され、該レーザー気化設備が該搬送空間に設けられ、レーザー気化キャビン、画像認識装置、及びレーザー装置を含み、該レーザー気化キャビンがキャビン内空間を有し、少なくとも１つのレーザー気化待ち物に対してレーザー気化作業の行いを提供するようにされ、該画像認識装置と該レーザー装置が該レーザー気化キャビンに設けられ、該画像認識装置が該レーザー気化キャビンの内にあるレーザー気化待ち物の位置を認識するようにされ、該レーザー装置が該レーザー気化キャビンの内にあるレーザー気化待ち物に対してレーザー光を発射するようにされ、該ガス処理装置が該搬送空間に設けられ、該レーザー気化設備の該レーザー気化キャビンに接続され、該レーザー気化キャビンの給気と排気を提供するようにされ、該電源供給装置が該搬送空間に設けられ、電気エネルギーを提供するようにされ、該レーザー気化設備及び該ガス処理装置とそれぞれに電気的に接続される。
【０００７】
上記の構成において、該ガス処理装置がＣＯ２を生成して該レーザー気化キャビンに供給するＣＯ２供給モジュールを含む。
【０００８】
上記の構成において、該ガス処理装置がさらにフィルターモジュールと排気ユニットとを含み、該フィルターモジュールが該レーザー気化キャビンから排出されるガスを濾過するようにされ、該排気ユニットが該レーザー気化キャビンから排出されるガスを該搬送空間から導出するようにされる。
【０００９】
上記の構成において、該レーザー装置がレーザー光源モジュールと少なくとも１つのレーザー発光ユニットとを含み、該レーザー光源モジュールが該レーザー発光ユニットへレーザー光を生成するようにされ、該レーザー発光ユニットが該レーザー気化キャビンの内で水平方向に移動し、掃引するレーザー光を発射する可能である。
【００１０】
上記の構成において、該レーザー装置が２つの並列した該レーザー発光ユニットを含み、２つの該レーザー発光ユニットが分光チャンネルを介して互いに接続される。
【００１１】
上記の構成において、該レーザー気化キャビンの内には、さらに該レーザー発光ユニットの下方に位置する移動荷台が設けられ、該移動荷台が該レーザー気化キャビンに対して昇降移動し、該レーザー発光ユニットに対する距離を調節するようにする可能である。
【００１２】
上記の構成において、該画像認識装置が複数の３Ｄカメラを含み、該レーザー気化キャビンの内にあるレーザー気化待ち物の３Ｄ位置を認識するようにされる。
【００１３】
上記の構成において、該キャリアが車両であり、該搬送空間が該車両の車室に位置される。
【００１４】
上記の構成において、該車室が該車両に取り外し可能に接続される。  
【００１５】
上記の構成において、該レーザー気化待ち物が感染した家畜又はその残骸である。
【図面の簡単な説明】
【００１６】
【図１】本考案に係る移動式光気化装置の構成を示す図である。
【図２】本考案に係る移動式光気化装置の内部構成を示す図である。
【考案を実施するための形態】
【００１７】
図１を参照し、本考案に係る移動式光気化装置１の構成は、移動可能なキャリア１０と、レーザー気化設備２０と、ガス処理装置３０と、電源供給装置４０とを含む。
【００１８】
該キャリア１０は、主に搬送空間１３が配置され、機動的な移動を提供する移動設備であり、本考案の実施例に示す車両１１のように、車両１１にはコンテナのような車室１２が設けられ、レーザー気化設備２０、ガス処理装置３０、及び電源供給装置４０などの構成部材を搭載する該搬送空間１３を形成するようにされ、感染症が発生した時に、現場へ直接に移動して作業を行い、病原体の拡散を防止できるようにする。
【００１９】
実施可能な実施例では、該車両１１と該車室１２も連接式の車体構造のような分割式構成に配置可能であり、現場に移動した後、該車室１２は、独立して作業をするように該車両１１から分離可能であり、該車両１１の輸送力を解放させ、作業効率を改善させる。
【００２０】
また図２に示すように、該レーザー気化設備２０は主にレーザー気化キャビン２１と、画像認識装置２２と、レーザー装置２３と、制御システム２４と、収納容器２５とを含む。該レーザー気化キャビン２１の内部には空間を有し、レーザー気化待ち物を収容し、レーザー気化作業を行う環境を提供するようにされ、その中に、レーザー気化待ち物を受け載せる移動荷台２１１は設けられ、それが該制御システム２４によって制御され、レーザー気化作業の過程に自動的に昇降移動と調整することを協力し、優れたレーザー気化効率を達成させる。該画像認識装置２２は、該レーザー気化キャビン２１の内に設けられる複数の３Ｄカメラ２２１を含み、レーザー気化待ち物のサイズ及び位置を認識するために全範囲の３ＤのＣＤＣ画像を提供するようにされ、該制御システム２４に提供されて精確な位置決めと計算を行わせ、３Ｄモデルを作らせ、続きのレーザー気化作業を容易にさせる。該レーザー装置２３は、レーザー光源モジュール２３１と少なくとも１つのレーザー発光ユニット２３３とを含み、該制御システム２４によって制御され、該レーザー光源モジュール２３１からレーザー光を生成させて該レーザー発光ユニット２３３へ送信させ、次いで該レーザー発光ユニット２３３から所定方向へレーザー光を発射させるものにおいて、該レーザー光源モジュール２３１が該レーザー気化キャビン２１にある適切な位置に配置可能であり、該レーザー発光ユニット２３３が該レーザー気化キャビン２１の内にある該移動荷台２１１の上方に位置され、該移動荷台２１１に対して水平方向に少なくとも１つの方向（例えば、該レーザー気化キャビン２１の長辺方向に平行する方向）に沿って移動され、１つの方向（例えば、該レーザー気化キャビン２１の短辺方向に平行する方向）で掃引することによりレーザー光を発射する可能であり、所定方向へレーザー気化作業を行うことができる効果を達成し、実施可能な実施例では、該レーザー装置２３も２つ以上の並列した該レーザー発光ユニット２３３を含まれ、それらのそれぞれが分光チャンネル２３２を介して互いに接続され、レーザー光源モジュール２３１から供給されるレーザー光源を同期的に取るようにされ、複数のレーザー発光の方式によってレーザー気化作業の効率を加速させ、異なる光射出角を利用して、レーザー気化をもっと完璧にならせる。
【００２１】
該制御システム２４は、主に該画像認識装置２２から送信される情報を受信されることや、レーザー気化作業中に該レーザー発光ユニット２３３の動作を決定することや、予め設定された作業モードに従って動作時のレーザーの移動速度、掃引速度、出力パワーなどの関連パラメーターを決定することのような光気化装置２０の各部材の動作を制御調整する。該収納容器２５は、集中的な取り出しと次の処理を容易にするために、レーザー気化後の残留物を集めるようにされる。
【００２２】
該ガス処理装置３０は、該レーザー気化設備２０に隣接されて配置され、そこに相応的な空気吸入チャンネルと空気排出チャンネルを有して該レーザー気化キャビン２１と接続され、該レーザー気化キャビン２１の空気吸入と空気排出を調整して制御するようにされる。本実施例では、該ガス処理装置３０は、主にＣＯ２供給モジュール３１と、フィルターモジュール３２と、排気ユニット３３とを含み、該ＣＯ２供給モジュール３１がＣＯ２を生成するようにされ、該ガス処理装置３０によりＣＯ２を該レーザー気化キャビン２１に注入され、レーザー気化作業を行う前のたびに、該レーザー気化キャビン２１の中をＣＯ２で満たせ、一定の時間を維持させる後に排出され、入れたレーザー気化待ち物（即ち感染した家畜又はその残骸）の死亡を確認した後でレーザー気化作業の行いを始めるようにし、レーザー気化作業中に生体があるとの非人道的な問題或いは騒動によって引き起こされる事故を避け、該フィルターモジュール３２が、レーザー気化キャビン２１から排気される時に濁ったガスに残っている可能性のあるほこりや細菌を濾過し、排気されるガスの安全性を確保し、該排気ユニット３３が該ガス処理装置３０に接続され、該搬送空間１３の外部に連通され、該レーザー気化キャビン２１から排出されて濾過されたガスを該搬送空間１３から導出するようにされる。
【００２３】
該電源供給装置４０は、主に該搬送空間１３に設けられて電力を貯蔵と供給する装置であり、該レーザー気化設備２０と該ガス処理装置３０にそれぞれに電気的に接続され、対応する電気エネルギーを提供するようにされ、本考案に係る移動式光気化装置１が電力供給に適さない遠隔地に移動する時にもレーザー気化作業を安定して効率的に提供させる。
【００２４】
以上により、本考案は機動性及び利便性と高効率的な環境保護の機能とを兼ね備え、感染症が発生した途端に、現場に速く到着して作業を行うことができ、動物感染症の予防に大いに役立つため、実用新案登録出願要件を有する考案であり、法規によって実用新案を提出する。
【符号の説明】
【００２５】
１  移動式光気化装置
１０  キャリア
１１  車両
１２  車室
１３  搬送空間
２０  レーザー気化設備
２１  レーザー気化キャビン
２１１  移動荷台
２２  画像認識装置
２２１  ３Ｄカメラ
２３  レーザー装置
２３１  レーザー光源モジュール
２３２  分光チャンネル
２３３  レーザー発光ユニット
２４  制御システム
２５  収納容器
３０  ガス処理装置
３１  ＣＯ２供給モジュール
３２  フィルターモジュール
３３  排気ユニット
４０  電源供給装置
【図１】
0003235222.tif 000003
【図２】
0003235222.tif 000004